(57)【要約】【課題】別途距離調整部材を設けることなく、光源と照射対象物との間に所定の距離を確保できるとともに、スペースの無駄を省くことができる遊技機を提供する。【解決手段】ＬＥＤ（光源）３０２ａと、このＬＥＤ３０２ａによって照らされるランプレンズユニット（照射対象物）３０６〜３０８と、主として遊技機の外殻を構成する外枠３０ｂとを備え、外枠３０ｂの一部が所定の厚さを有する距離調整部３００とされ、この距離調整部３００を挟んでランプレンズユニット３０６〜３０８とＬＥＤ３０２ａとが配置され、このＬＥＤ３０２ａが距離調整部３００に取り付けられているので、別途距離調整部材を設けることなく、ＬＥＤ３０２ａとランプレンズユニット３０６〜３０８との間に所定の距離を確保できるとともに、スペースの無駄を省くことができる【選択図】図４
2016054772.tif 000002
【特許請求の範囲】
【請求項１】
光源と、この光源によって照らされる照射対象物と、主として遊技機の外殻を構成する外枠とを備えた遊技機において、
前記外枠の一部が所定の厚さを有し、前記光源と前記照射対象物との間に所定の距離を確保する距離調整部とされ、この距離調整部を挟んで前記照射対象物と前記光源とが配置されていることを特徴とする遊技機。
【請求項２】
前記距離調整部に貫通孔が設けられ、この貫通孔に前記光源からの光を拡散させる拡散レンズが設けられていることを請求項１に記載の遊技機。
【発明の詳細な説明】
【技術分野】
【０００１】
本発明は、光源と、この光源によって照らされる役物等の照射対象物と備えた遊技機に関する。
【背景技術】
【０００２】
パチンコやスロットマシン等の遊技機においては、液晶表示装置や可動役物等によって遊技の演出を行っている他、例えば当該液晶表示装置や可動役物の演出と合わせてまたは独立に照明装置によって光を点灯または点滅させる演出を行っている。
このような照明装置を備えた遊技機の一例として特許文献１に記載ものが知られている。この遊技機の照明装置は、ＬＥＤ基板に設けられて光を発生させるＬＥＤ（光源）と、この光源からの光を拡散させる拡散レンズと、この拡散レンズに取り付けられて、前記光源からの光を反射する反射部材と、前記拡散レンズおよび前記反射部材を固定するための固定ホルダと、前記反射部材に固定されて、照射対象物としての正面レンズとを備えている。また、前記光源と拡散レンズとの間にはベース板が設けられており、このベース板の背面側にＬＥＤ基板が固定され、正面側に固定ホルダが固定されている。したがって、照明装置は、ベース板、ＬＥＤ基板、反射部材が取り付けられた拡散レンズおよび固定ホルダとが一体化されるので、つまり多物品が一体化されるので、遊技機への取付け作業が容易となるという利点がある。
【先行技術文献】
【特許文献】
【０００３】
【特許文献１】特開２０１１−２００５００号公報
【発明の概要】
【発明が解決しようとする課題】
【０００４】
ところで、上述したような照明装置を備えた遊技機では、正面レンズ等の照射対象物を適切に照らすために、つまり、ＬＥＤがいわゆる点光りするのを防止するために、ＬＥＤ等の光源と照射対象物との間に所定の距離を設ける必要がある。
このため、従来はこの所定の距離を確保するために、距離調整用の部材が別途必要となる。したがって、この距離調整部材によって部品点数が多くなるばかりか、遊技機内に距離調整部材を配置するためのスペースを確保する必要があり、スペースに無駄が生じることにもなる。さらに、距離調整部材を設けると、その厚さ分、照射対象物が遊技機の前側に出っ張ることになり好ましくない。
【０００５】
本発明は、前記事情に鑑みてなされたもので、別途距離調整部材を設けることなく、光源と照射対象物との間に所定の距離を確保できるとともに、スペースの無駄を省くことができる遊技機を提供することを目的とする。
【課題を解決するための手段】
【０００６】
前記目的を達成するために、本発明の遊技機は、光源と、この光源によって照らされる照射対象物と、主として遊技機の外殻を構成する外枠とを備えた遊技機において、
前記外枠の一部が所定の厚さを有し、前記光源と前記照射対象物との間に所定の距離を確保する距離調整部とされ、この距離調整部を挟んで前記照射対象物と前記光源とが配置されていることを特徴とする。
【０００７】
本発明においては、外枠の一部が所定の厚さを有し、光源と照射対象物との間に所定の距離を確保する距離調整部とされ、この距離調整部を挟んで照射対象物と光源とが配置されているので、別途距離調整部材を設けることなく、外枠の一部である距離調整部によって光源と照射対象物との間に所定の距離を確保できる。また、距離調整部は外枠の一部であるため、従来のような別途必要とされる距離調整部材を配置するためのスペースの無駄を省くことができる。
さらに、別途距離調整部材が必要でないので、この距離調整部材を設けることに起因する照射対象物の遊技機の前側への出っ張りを防止できる。
【０００８】
本発明の前記構成において、前記距離調整部に貫通孔が設けられ、この貫通孔に前記光源からの光を拡散させる拡散レンズが設けられていてもよい。
【０００９】
このような構成によれば、距離調整部に設けられた貫通孔に拡散レンズが設けられているので、光源からの光を拡散レンズによって拡散して照射対象物を照らすことができ、よって、照射対象物を広い範囲で照らすことができる。
また、拡散レンズは距離調整部の貫通孔に設けられているので、拡散レンズを容易かつ確実に保持できるとともに、拡散レンズが距離調整部の表面側に出っ張ることもないので、この拡散レンズを設けることに起因する照射対象物の遊技機の前側への出っ張りを防止できる。
【発明の効果】
【００１０】
本発明によれば、別途距離調整部材を設けることなく、光源と照射対象物との間に所定の距離を確保できるとともに、スペースの無駄を省くことができる。
【図面の簡単な説明】
【００１１】
【図１】本発明の実施の形態に係る遊技機を示すもので、その正面図である。
【図２】同、遊技機の上扉を示す分解斜視図である。
【図３】同、遊技機の外枠からキャビネット上ユニットと可動役物ユニットを取り外した状態を示す分解斜視図である。
【図４】同、遊技機の外枠の分解斜視図である。
【図５】同、遊技機の可動役物ユニットの分解斜視図である。
【図６】同、遊技機の可動役物ユニットの一部を切り欠いた斜視図である。
【図７】同、遊技機の可動役物ユニットの断面図である。
【図８】同、遊技機の検出部の斜視図である。
【図９】同、遊技機の検出部の一部を切り欠いた斜視図である。
【図１０】同、遊技機の要部を示す断面図である。
【発明を実施するための形態】
【００１２】
以下、本発明の実施の形態について図面を参照して説明する。本実施の形態は本発明を遊技機の一つであるスロットマシンに適用した場合を例にとって説明するが、本発明はスロットマシンに限ることなく、パチンコ等の遊技機に適用してもよい。
ここで、図１はスロットマシンＭの正面図であり、このスロットマシンＭで遊技する遊技者側から見たスロットマシンＭを示し、図１における左右が以下の説明における左右となり、スロットマシンＭから見て遊技者側が前で、その逆が後となり、以下の説明における前後となる。
【００１３】
まず、発明が適用されるスロットマシンＭの概略構成について説明する。
図１はスロットマシンＭを示す正面図である。このスロットマシンＭは、後側に筐体を備えており、この筐体は、底板、左右の側板、天板および背板を備え、当該筐体の正面側に開口する正面開口部を有する箱形に形成されている。なお、底板の上面には、各部品に電力を供給するための電源装置（図示略）を内蔵した電源ユニット等が設けられている。
【００１４】
また、前記筐体の左右の側板には、筐体の高さ方向略中央で水平となるように中板（図示略）が設けられており、この中板によって筐体内は上下に分割されている。したがって、筐体の前記正面開口部は、その上部を開口する開口上部とその下部を開口する開口下部との２つに区画されている。
筐体の正面には、筐体の正面開口部を開閉可能に閉塞する前扉３が設けられており、この前扉３は、前記開口上部を開閉可能に閉塞する上扉３０と、前記開口下部を開閉可能に閉塞する下扉４０とを備えている。
【００１５】
前記筐体内には前記中板の上面に、交換ユニット（図示略）が着脱可能に設けられている。この交換ユニットは枠体と、枠体に支持されたリールユニットと、枠体に固定された基板ユニットとを備えている。
リールユニットは、枠体に設けられた３個のステッピングモータと、各々のステッピングモータの出力軸に固定された３個の回転リールとを備えている。また、基板ユニットは、ＣＰＵ、ＲＯＭ、ＲＡＭ、Ｉ／Ｏ等の電子部品を備えた基板を、基板ケースに収納したものである。そして、基板ユニットは、スロットマシンＭの遊技を制御するための遊技制御装置として機能する。
【００１６】
図２に示すように、前記上扉３０は、主として遊技機の外殻を構成する外枠（キャビネットユニット）３０ｂに中枠（バリア上ユニット）３０ａを嵌め込んで構成されている。
上扉３０にはその一方の縦方向の側縁部に上扉側蝶番（図示略）が設けられている。一方、前記交換ユニットの枠体には枠体側蝶番（図示略）が設けられており、この枠体側蝶番に前記上扉側蝶番を係合させることによって、上扉３０は、交換ユニットの枠体に回動自在に取り付けられている。なお、上扉３０は、筐体の側板に取り付けるように形成してもよい。
【００１７】
また、上扉３０は、略中央部に回転リールの図柄を正面から見ることができる図柄表示窓３１を備えている。図柄表示窓３１は、各回転リールの図柄が３個ずつ表示可能に形成されている。
図柄表示窓３１の上方には、中枠３０ａに設けられるとともに液晶表示装置で構成された画像表示部３４を正面から見ることができる画像表示窓３７が設けられている。この画像表示部３４は、各当選役の図柄配列や遊技履歴等の情報の画像や、遊技の状態や当選役の抽選結果を報知する画像等を表示するためのものである。また、上扉３０の下部の左右には、種々のサウンドを出力するためのスピーカ３５，３５を覆うスピーカーカバー３６，３６が設けられている。また図１に示すように、画像表示窓３７の上側には、報知などを行うためのランプ３８が設けられている。
【００１８】
図１に示すように、下扉４０は筐体１の開口下部を開閉可能に閉塞するための扉である。下扉４０は、外枠４６に図示しない中枠を嵌め込んで構成されている。
下扉４０の一方の縦方向の側縁部に下扉側蝶番（図示略）が設けられている。そして、この下扉側蝶番を、前記筐体の一方の側板に設けられた筐体側蝶番（図示略）と係合させることで、下扉４０は、筐体の一方の側板に回動自在に取り付けられている。また、上扉３０の下端部には、下扉４０の前面より後方側で下扉４０の上端より下側に突出する係合部が設けられ、下扉４０が閉じた状態で、上扉３０を開放することができない構造になっている。
【００１９】
また、下扉４０の上部には、図１に示すように、スロットマシンＭを操作するための操作部５０が設けられている。操作部５０には、クレジットおよびベットされたメダルを払い出すための精算スイッチ５２、ゲームを開始させるためのスタートスイッチ５３、回転リールの回転を停止させるためのストップスイッチ５４が設けられている。
また、下扉４０の上部右側には、メダルを投入するためのメダル投入口４２が設けられている。また、下扉４０の下部には、スロットマシン内部よりメダルを排出するためのメダル払い出し口４１と、メダル払い出し口４１から排出されたメダルを溜めておくためのメダル受け皿４３とが設けられている。また、操作部５０とメダル受け皿４３との間には透明の前パネル４５が取り付けられている。
【００２０】
次に、本発明に係る第１可動役物２０５と第２可動役物２０６とを有する可動役物ユニット２００について説明する。
図３に示すように、前記キャビネットユニット３０ｂは、キャビネットベース３２と、このキャビネットベース３２の前面上部に取り付けられるキャビネット上ユニット３３とを備えている。キャビネットベース３２の前面上部には、図４に示すように、可動役物ユニット２００が取り付けられており、この可動役物ユニット２００を覆うようにして前記キャビネット上ユニット３３（図３参照）がキャビネットベース３２の前面上部に取り付けられるようになっている。
また、キャビネットベース３２の上部には、図３に示すように、前記画像表示部３４の前面を露出させるための矩形状の開口部３２ａが設けられており、この開口部３２ａの下縁部に沿ってガイドレール（レール部）５５が設けられている。
【００２１】
前記可動役物ユニット２００は、図３〜図５に示すように、取付フレーム２０１と、この取付フレーム２０１に取り付けられた可動役物装置２０２とを備えている。
取付フレーム２０１は、金属板によって形成されたものであり、図５に示すように、長方形板状の上板２０１ａと、この上板２０１ａの長手方向に沿う縁部に上板２０１ａと一体的にかつ下方に直角に設けられた長方形板状の背板２０１ｂと、前記上板２０１ａの短手方向に沿う縁部に上板２０１ａと一体的にかつ下方直角に設けられた左右一対の側板２０１ｃ，２０１ｃとを備えている。
【００２２】
上板２０１ａには多数の貫通孔が形成されており、これによって軽量化が図られている。また、上板２０１ａの長手方向に沿う縁部のうち、背板２０１ｂ側の縁部の長手方向略中央部には、固定板２０１ｄが上板２０１ａの上面から突出して設けられている。この固定板２０１ｄには孔が形成され、この孔にねじ等の止着材が挿通されるようになっている。
前記背板２０１ｂには多数の貫通孔が形成されており、これによって軽量化が図られている。また、背板２０１ｂの左右両端部には、それぞれ固定板２０１ｅが上板２０１ａの上面から突出して設けられている。この固定板２０１ｅには孔が形成され、この孔にねじ等の止着材が挿通されるようになっている。
前記側板２０１ｃの下端部には、固定板２０１ｆが側板２０１ｃから外側に突出して設けられている。この固定板２０１ｆには孔が形成され、この孔にねじ等の止着材が挿通されるようになっている。
【００２３】
また、背板２０１ｂの上縁部には左右一対の係止部２０１ｇ，２０１ｇが上板２０１ａの上面から突出して設けられている。係止部２０１ｇは、取付フレーム２０１をキャビネットベース３２の前面上部に仮固定する際に、当該キャビネットベース３２の上縁部に差し込んで係止するためのものである。
【００２４】
取付フレーム２０１をキャビネットベース３２に取り付ける場合、まず、取付フレーム２０１の背板２０１ｂの上縁部に設けられた係止部２０１ｇをキャビネットベース３２の上部に設けられた孔に斜め下方から挿入して係合したうえで、この係止した係止部を支点として取付フレーム２０１をキャビネットベース３２に向けて回転させる。
一方、キャビネットベース３２の前面側には、フック部が当該キャビネットベース３２の前面から突出させて設けられている。フック部は左右一対あり、キャビネットベース３２の左右の側板の内面側に設けられている。
【００２５】
そして、係止部２０１ｇを支点して取付フレーム２０１をキャビネットベース３２に向けて回転させて、当該取付フレーム２０１の側板２０１ｃに設けられている固定板２０１ｆを前記フック部に引っ掛けて仮固定する。これによって、取付フレーム２０１がキャビネットベース３２に仮固定される。また、取付フレーム２０１を仮固定する際に、後述する第１可動役物２０５および第２可動役物２０６のそれぞれの下端部のスライダ２４１ａ，２４０ａ，２４０ｂをガイドレール５５の３つのガイド溝５５ａにそれぞれ当該ガイド溝５５ａに沿って移動可能に挿入する。
【００２６】
その後、仮固定された取付フレーム２０１をねじによってキャビネットベース３２に固定する。
この固定は、取付フレーム２０１に設けられている固定板２０１ｄ，２０１ｅ，２０１ｆにそれぞれ形成された貫通孔にねじを挿通し、このねじをキャビネットベース３２の前面側に設けられたねじ孔にねじ込むことによって行う。
【００２７】
前記可動役物装置２０２は、図５に示すように、フレーム２０４と、このフレーム２０４に取り付けられる左右一対の第１可動役物２０５，２０５と、フレーム２０４に取り付けられるとともに第１可動役物の後側に配置される左右一対の第２可動役物２０６，２０６とを備えている。
第１可動役物２０５は、印籠を二分割したものを模したものであり、略矩形板状に形成されている。第１可動役物２０５はその上端部にホルダ２１０を有しており、このホルダ２１０によって保持されている。
【００２８】
第２可動役物２０６は前後一対の可動役物２０６Ａと可動役物２０６Ｂとによって構成されている。可動役物２０６Ａ，２０６Ｂはそれぞれ障子を模したものであり、略矩形板状に形成されている。可動役物２０６Ｂはその上端部にホルダ２１１を有しており、このホルダ２１１によって保持されている。
また、可動役物２０６Ａ，２０６Ｂは連動するようになっている。つまり、ホルダ２１１には突出片２１１ａが可動役物２０６Ａ側に向けて突出して形成され、この突出片２１１ａが可動役物２０６Ａに形成されたスリット２１１ｂに挿通されることによって、可動役物２０６Ａ，２０６Ｂが一体化されて、連動するようになっている。この突出片２１１ａはスリット２１１ｂに挿通されることで、可動役物２０６Ａの前面から突出するようになっている。
【００２９】
前記フレーム２０４には、左右一対の無端状のベルト２１５，２１５が設けられており、このベルト２１５の所定の位置に、第１可動役物２０５を保持しているホルダ２１０が固定されている。そして、このベルト２１５が正逆方向に回転することによって、第１可動役物２０５が左右に移動するようになっている。
ベルト２１５は、フレーム２０４に設けられた駆動プーリ２１６と、ベース２１７に設けられた図示しない従動プーリに巻き掛けられており、駆動プーリ２１６がステッピングモータ２１８によってギヤを介して正逆方向に回転されることによって、正逆方向に回転するようになっている。
【００３０】
また、フレーム２０４には、左右一対の無端状のベルト２２０，２２０がベルト２１５，２１５の後側に、かつベルト２１５，２１５と平行に設けられており、このベルト２２０の所定の位置に、第２可動役物２０６の可動役物２０６Ｂを保持しているホルダ２１１が固定されている。そして、このベルト２２０が正逆方向に回転することによって、第２可動役物２０６が左右に移動するようになっている。
ベルト２２０は、フレーム２０４に設けられた駆動プーリ２２１と、ベース２２２に設けられた図示しない従動プーリに巻き掛けられており、駆動プーリ２２１がステッピングモータ２２３によって正逆方向に回転されることによって、正逆方向に回転するようになっている。
【００３１】
また、第１可動役物２０５と第２可動役物２０６との間には、これら第１可動役物２０５と第２可動役物２０６の双方の位置を検出可能な検出部２３０が設けられている。
すなわち、図６および図７に示すように、第１可動役物２０５の上端部のホルダ２１０と、第２可動役物２０６の可動役物２０６Ｂの上端部のホルダ２１１との間には、検出部２３０が設けられている。
【００３２】
この検出部２３０は、図８および図９に示すように、センサ基板２３１と、このセンサ基板２３１の一方の面に設けられて、第１可動役物２０５の位置を検出する第１センサ部２３２と、センサ基板２３１の他方の面に設けられて、第２可動役物２０６の位置を検出する第２センサ部２３３と、センサ基板２３１を下方から支持する基板カバー２３４と、センサ基板２３１を保持する基板ホルダ２３５を備えている。そして、基板ホルダ２３５と基板カバー２３４によってセンサ基板２３１を上下から挟み付けるようにして、当該センサ基板２３１を保持している。第１センサ部２３２および第２センサ部２３３は、例えば磁気センサや光センサによって構成されている。
【００３３】
第１センサ部２３２および第２センサ部２３３は、断面コ字形に形成されており、互いに背面がセンサ基板２３１の一方の面および他方の面に固定されている。また、第１センサ部２３２と第２センサ部２３３とはその開口部が外側に向くようにして、センサ基板２３１の下端部に設けられている。
【００３４】
基板ホルダ２３５の上面には矩形枠状の突出部２３５ａが形成されている。そして、基板ホルダ２３５は、図６に示すように、突出部２３５ａを、前記取付フレーム２０１に形成された取付孔２０１ｈに下方から嵌め込むとともに、取付フレーム２０１から基板ホルダ２３５にねじをねじ込むことによって、取付フレーム２０１に固定されている。
【００３５】
また、第１可動役物２０５の上端部のホルダ２１０には、図６および図７に示すように、第１センサ部２３２に向けて突出する矩形板状の突出片２１０ａが形成されており、この突出片２１０ａが断面コ字形の第１センサ部２３２の凹部に挿入可能となっている。
すなわち、第１可動役物２０５，２０５が左右に最も開いた状態における第１可動役物２０５の位置が原点位置となっており、この原点位置に第１可動役物２０５が位置している場合に、前記突出片２１０ａが第１センサ部２３２の凹部に挿入された状態となり、この突出片２１０ａを第１センサ部２３２によって検出できるようになっている。
また、第１可動役物２０５が中央側に移動するに伴い、突出片２１０ａが第１センサ部２３２の凹部から側方に外れて行き、第１可動役物２０５が所定距離だけ移動することで、突出片２１０ａが第１センサ部２３２の凹部から完全に外れた状態となる。
したがって、突出片２１０ａを第１センサ部２３２が検出した位置を原点として、前記ステッピングモータ２１８を所定ステップだけ回転させることで、第１可動役物２０５の移動距離ないし位置を制御できるようになっている。
【００３６】
また、第２可動役物２０６を構成する可動役物２０６Ｂの上端部のホルダ２１１には、上述したように、第２センサ部２３３に向けて突出する突出片２１１ａが形成されている。この突出片２１１ａは可動役物２０６Ａに形成されたスリット２１１ｂ（図５参照）を貫通して、第２センサ部２３３に向けて突出しており、この突出片２１１ａが断面コ字形の第２センサ部２３３の凹部に挿入可能となっている。
すなわち、第２可動役物２０６，２０６が左右に最も開いた状態における第２可動役物２０６の位置が原点位置となっており、この原点位置に第２可動役物２０６が位置している場合に、前記突出片２１１ａが第２センサ部２３３の凹部に挿入された状態となり、この突出片２１１ａを第２センサ部２３３によって検出できるようになっている。
また、第２可動役物２０６が中央側に移動するに伴い、突出片２１１ａが第２センサ部２３３の凹部から側方に外れて行き、第２可動役物２０６が所定距離だけ移動することで、突出片２１１ａが第２センサ部２３３の凹部から完全に外れた状態となる。
したがって、突出片２１１ａを第２センサ部２３３が検出した位置を原点として、前記ステッピングモータ２２３を所定ステップだけ回転させることで、第２可動役物２０６の移動距離ないし位置を制御できるようになっている。
【００３７】
また、図５に示すように、前記検出部２３０より内側には、他の検出部２４０が設けられている。この検出部２４０は、検出部２３０とほぼ同様の構造をなし、同様の方法によって取付フレーム２０１に固定されている。しかし、検出部２４０には、検出部２３０が有する第１センサ部２３２を備えておらず、第２センサ部２３３しか備えていない。このため、検出部２４０では、第２可動役物２０６の位置を原点以外でも検出可能となっている。
【００３８】
すなわち、第２可動役物２０６，２０６が中央側に向けて所定距離移動した場合における第２可動役物２０６の位置を途中位置とすると、この途中位置に第２可動役物２０６が位置している場合に、前記突出片２１１ａが第２センサ部２３３の凹部に挿入された状態となり、この突出片２１１ａを第２センサ部２３３によって検出できるようになっている。
また、この途中位置から第２可動役物２０６がさらに中央側に向けて移動するに伴い、突出片２１１ａが第２センサ部２３３の凹部から側方に外れて行き、第２可動役物２０６が所定距離だけ移動することで、突出片２１１ａが第１センサ部２３３の凹部から完全に外れた状態となる。
したがって、突出片２１１ａを第２センサ部２３３が検出した位置を途中位置として、前記ステッピングモータ２２３を所定ステップだけ回転させることで、第２可動役物２０６の移動距離ないし位置を制御できるようになっている。
【００３９】
また、図６および図７に示すように、第２可動役物２０６を構成する可動役物２０６Ａ，２０６Ｂの下端部には、スライダ２４０ａ，２４０ｂが取り付けられている。また、第１可動役物２０５の下端部には、第２可動役物２０６側に向けて斜め下方に延出する延出部２４１が設けられている。この延出部２４１はその先端部にスライダ２４１ａを有している。
一方、前記ガイドレール５５は３つの平行なガイド溝５５ａを有しており、これらガイド溝５５ａにそれぞれスライダ２４０ａ，２４０ｂ，２４１ａがガイド溝５５ａの長手方向にスライド自在に挿入されている。このようにして、第１可動役物２０５および第２可動役物２０６の下端部はガイドレール５５によって、スライド自在に支持されている。
したがって、第１可動役物２０５はステッピングモータ２１８によってベルト２１５を介して左右に移動し、第２可動役物２０６はステッピングモータ２２３によってベルト２２０を介して左右に移動するが、その際ガイドレール５５によって移動可能に支持されている。
【００４０】
本実施の形態によれば、第１可動役物２０５と第２可動役物２０６との間に、これら第１可動役物２０５と第２可動役物２０６の双方の位置を検出可能な検出部２３０が設けられているので、前後の可動役物検出用の検出部をそれぞれ設ける場合に比して、前後の可動役物２０５，２０６間の距離を広くとる必要がない。また、第１可動役物２０５の下端部に、第２可動役物２０６側に向けて延出し、ガイドレール５５に移動可能に支持される延出部２４１が設けられているので、第１可動役物２０５と第２可動役物２０６との間の距離分の幅を有するガイドレールが必要ない。このため、延出部２４１が設けられていない第１可動役物２０５の下端部と第２可動役物２０６の下端部を支持するためのガイドレールに比してガイドレール５５の幅を広くとる必要がない。
したがって、前後に可動役物２０５，２０６を設けるとともにそれらを移動可能に支持するガイドレール５５を設けた場合に、それらを設置するためのスペースを容易に確保できる。
【００４１】
また、検出部２３０は、センサ基板２３１と、このセンサ基板２３１の一方の面に設けられて、第１可動役物２０５の位置を検出する第１センサ部２３２と、センサ基板２３１の他方の面に設けられて、第２可動役物２０６の位置を検出する第２センサ部２３３とを備えているので、センサ基板とセンサ部とからなる検出部を２枚使用する場合に比して、検出部２３０を薄く構成できるとともに、２枚の検出部間の隙間も必要ない。したがって、前後の可動役物２０５，２０６間の距離をさらに狭めることができるとともに、ガイドレール５５の幅もさらに狭くすることができるので、前後に可動役物２０５，２０６を設けるとともにそれらを移動可能に支持するガイドレール５５を設ける場合のスペースの確保がさらに容易となる。
【００４２】
なお、本実施の形態では、第１可動役物２０５と第２可動役物２０６との２つの可動役物を備える場合を例にとって説明したが、本発明は３つ以上の可動役物を備えた場合にも適用できる。この場合、互いに前後に隣り合う可動役物のうち、前側の可動役物を第１可動役物、後側の可動役物を第２可動役物とすればよい。
また、本実施の形態では、第１可動役物２０５に延出部２４１を設け、この延出部２４１を第２可動役物２０６の直下に設けられたガイドレール５５によって移動可能に支持するようにしたが、これとは逆に第１可動役物２０５の直下にガイドレール５５を設けるとともに、第２可動役物２０６に延出部を設け、この延出部をガイドレール５５によって移動可能に支持するようにしてもよい。
【００４３】
さらに、本実施の形態では、左右に移動する第１可動役物２０５および第２可動役物２０６を例にとって説明したが、本発明では第１移動役物および第２移動役物が移動する方向は、左右方向に限ることはない。例えば第１可動役物および第２可動役物は上下方向に移動してもよいし、斜め方向に移動してもよい。要は第１可動役物と第２可動役物とを前後に配置するとともに、移動方向を前後方向と交差する方向にすればよい。
また、本実施の形態では、第１可動役物２０５および第２可動役物２０６をそれぞれ左右一対設ける場合を例にとって説明したが、本発明では第１可動役物および第２可動役物の個数は任意である。
【００４４】
また、本実施の形態では、図４に示すように、外枠（キャビネットユニット）３０ｂの一部は所定の厚さを有する距離調整部３００，３００とされている。すなわち、外枠３０ｂの下部左右両側には、それぞれ所定の厚さを有する距離調整部３００が外枠３０ｂと一体的に、かつ内側に突出して設けられている。距離調整部３００は略矩形板状に形成されており、当該距離調整部３００には、複数の円柱状の貫通孔３０１が形成されている。本実施の形態では、右側の距離調整部３００の方が左側の距離調整部３００に比して、多くの貫通孔３０１を有しているが、貫通孔３０１の個数や配置位置は、後述するＬＥＤ基板３０２上のＬＥＤ（光源）３０２ａの個数および位置に対応して決定されている。
【００４５】
各距離調整部３００の裏側には、複数のＬＥＤ（光源）３０２ａが設けられたＬＥＤ基板３０２が配置されており、このＬＥＤ基板３０２は基板カバー３０３によってＬＥＤ３０２ａが設けられている側の表面が覆われている。基板カバー３０３には、略円板状の拡散レンズ３０３ａが一体的に形成されている。拡散レンズ３０３ａはＬＥＤ基板３０２のＬＥＤ３０２ａに対向して配置されるとともに、ＬＥＤ基板３０２側を向く面が凸曲面によって形成され、反対側が凹曲面によって形成されている。これによって、ＬＥＤ３０２ａから照射される光は、凸曲面によって集光され凹曲面で拡散されるようになっている。
また、基板カバー３０３にはその外周縁部に裏側に向けて突出する側壁３０３ｂが形成されており、この側壁３０３ｂの内側にＬＥＤ基板３０２が嵌め込まれ、爪３０３ｃによって固定されている。
【００４６】
また、基板カバー３０３は距離調整部３００の裏面に当接されて固定されており、これによって、ＬＥＤ基板３０２が基板カバー３０３を介して距離調整部３００の裏面に取り付けられている。この状態において、基板カバー３０３の各拡散レンズ３０３ａは距離調整部３００の各貫通孔３０１に挿入されている。拡散レンズ３０３ａの先端部の凹曲面は距離調整部３００の表面から突出していない。
なお、基板カバー３０３を距離調整部３００の裏面に固定する場合、基板カバー３０３の取付部３０３ｄに設けられている孔にねじを通し、このねじを距離調整部３００の裏面に設けられているねじ穴にねじ込むことにより行われる。
【００４７】
また、距離調整部３００の表面側には、図１０に示すように、インナーレンズ３０５が設けられている。このインナーレンズ３０５は板状のものであり、距離調整部３００の表面との間に所定の隙間をおいて設けられている。また、インナーレンズ３０５は拡散機能を有しており、裏面側は断面鋸歯状に形成されている。
また、インナーレンズ３０５は、円板状のレンズ部３０５ａを有しており、このレンズ部３０５ａの表面は凸曲面によって形成され、裏面は凹曲面によって形成されている。
【００４８】
また、外枠３０ｂの左右の距離調整部３００，３００の表面には、ランプレンズユニット（照射対象物）３０６，３０７が設けられている。
ランプレンズユニット３０６は立体的に形成され、その内部に前記インナーレンズ３０５が配置されるようになっている。そして、ランプレンズユニット３０６は、インナーレンズ３０５を介してまたは直接的に前記ＬＥＤ３０２ａからの光が照射されることによって、全体的に点灯または点滅するようになっている。このようなランプレンズユニット３０６は左側の距離調整部３００の表面に当接されねじ止めによって固定されている。
【００４９】
また、ランプレンズユニット３０６の左側面部には、別のランプレンズユニット（照射対象物）３０８が設けられている。このランプレンズユニット３０８も立体的に形成され、前記ＬＥＤ３０２ａからの光が照射されることによって、全体的に点灯または点滅するようになっている。このようなランプレンズユニット３０８は左側の距離調整部３００の表面に、ランプレンズユニット３０６の左側において当接されてねじ止めによって固定されている。
【００５０】
ランプレンズユニット３０７は、ランプレンズユニット３０６と異なる形状でかつ立体的に形成され、その内部に前記インナーレンズ３０５が配置されるようになっている。そして、ランプレンズユニット３０７は、インナーレンズ３０５を介してまたは直接的に前記ＬＥＤ３０２ａからの光が照射されることによって、全体的に点灯または点滅するようになっている。このようなランプレンズユニット３０７は右側の距離調整部３００の表面に当接されねじ止めによって固定されている。
【００５１】
本実施の形態によれば、外枠３０ｂの一部が所定の厚さを有し、ＬＥＤ３０２ａとランプレンズユニット（照射対象物）３０６〜３０８との間に所定の距離を確保する距離調整部３００，３００とされ、この距離調整部３００，３００を挟んでランプレンズユニット（照射対象物）３０６〜３０８とＬＥＤ（光源）３０２ａとが配置され、このＬＥＤ３０２ａを有するＬＥＤ基板３０２が基板カバー３０３を介して距離調整部３００の裏面に取り付けられているので、従来と異なり別途距離調整部材を設けることなく、３０ｂの一部である距離調整部３００，３００によってＬＥＤ３０２ａとランプレンズユニット３０６〜３０８との間に所定の距離を確保できる。
また、距離調整部３００，３００は外枠３０ｂの一部であるため、従来のような別途必要とされる距離調整部材を配置するためのスペースの無駄を省くことができる。
さらに、別途距離調整部材が必要でないので、この距離調整部材を設けることに起因するランプレンズユニット３０６〜３０８の遊技機の前側への出っ張りを防止できる。
【００５２】
また、距離調整部３００に貫通孔３０１が設けられ、この３０１にＬＥＤ３０２ａからの光を拡散させる拡散レンズ３０３ａが設けられているので、ＬＥＤ３０２ａからの光を拡散レンズ３０３ａによって拡散してランプレンズユニット３０６〜３０８を照らすことができる。したがって、ランプレンズユニット３０６〜３０８を広い範囲で照らすことができる。
さらに、拡散レンズ３０３ａは距離調整部３００の貫通孔３０１に設けられているので、拡散レンズ３０３ａを容易かつ確実に保持できるとともに、拡散レンズ３０３ａが距離調整部３００の表面側に出っ張ることもないので、この拡散レンズ３０３ａを設けることに起因するランプレンズユニット３０６〜３０８の遊技機の前側への出っ張りを防止できる。
加えて、距離調整部３００の表面側に拡散機能を有するインナーレンズ３０５が設けられているので、ランプレンズユニット３０６〜３０８をさらに広い範囲で明るく照らすことができる。
【００５３】
なお、本実施の形態では、ＬＥＤ基板３０２を基板カバー３０３を介して距離調整部３００の裏面に設けたが、基板カバー３０３を介することなく、直接ＬＥＤ基板３０２を距離調整部３００の裏面に設けてもよい。この場合、ＬＥＤ基板３０２のＬＥＤ３０２ａを距離調整部３００の貫通孔３０１に配置することによって、ＬＥＤ３０２ａを保護することができる。
また、本実施の形態では、距離調整部３００の表面側にインナーレンズ３０５を設けたが、このインナーレンズ３０５は必要に応じて設ければよく、ランプレンズユニット３０６〜３０８の点灯時の明るさが十分であれば、省略してもよい。
さらに、本実施の形態では、光源をＬＥＤ３０２ｅとし、照射対象物をランプレンズユニット３０６〜３０８にした場合を例にとって説明したが、本発明では、光源はＬＥＤ以外の光源であってもよいし、照射対象物はランプレンズユニット以外の他の役物であってもよい。
【符号の説明】
【００５４】
３０ｂ  外枠
３００  距離調整部
３０１  貫通孔
３０２ａ  ＬＥＤ（光源）
３０６〜３０８  ランプレンズユニット（照射対象物）
３０３ａ  拡散レンズ
【図１】
2016054772.tif 000003
【図２】
2016054772.tif 000004
【図３】
2016054772.tif 000005
【図４】
2016054772.tif 000006
【図５】
2016054772.tif 000007
【図６】
2016054772.tif 000008
【図７】
2016054772.tif 000009
【図８】
2016054772.tif 000010
【図９】
2016054772.tif 000011
【図１０】
2016054772.tif 000012